(57)【要約】　　　（修正有）【課題】一般の小型豆電球との互換を採りつつ、省エネルギーである発光ダイオード球を提供する。【解決手段】発光ダイオードを加工した豆電球等のソケットを有する発光ダイオード球であり、無極性回路を用いて電球のように無極性で点灯させることができ、電流制限抵抗を用いて電球のように点灯電圧を決めることができ、定電圧ダイオードを用いて電球では不可能である点灯する電圧を決められ、定電流ダイオードを用いて電球では不可能な幅広い範囲の電圧に対応することができることを特徴とする。【選択図】図１
0003099836.tif 000002
【実用新案登録請求の範囲】
【請求項１】
一般汎用発光ダイオードの電源接続端子側の断端を段付加工または、段付に製造された発光ダイオードを、一般豆電球と同じ規格の金具に圧入または接着した電球型発光ダイオード。
【請求項２】
発光ダイオードの極性を無極性化する回路、発光ダイオードに流れる電流を制限する電流制限抵抗または定電流ダイオード、点灯開始電圧を決定する定電圧ダイオードを一部または全部を具備する（１）の
発光ダイオード。
【考案の詳細な説明】
【０００１】
【考案の属する技術分野】
本考案は電球型発光ダイオードに関する。
【０００２】
【従来の技術】
従来の発光ダイオードは、電球のソケットに直接用いることができない。
【０００３】
【考案が解決しようとする課題】
発光ダイオードを、電球のソケットに直接できるようにすることが課題である。
【０００４】
本考案は以上のような従来の欠点に鑑み、一般の小型豆電球との互換を採りつつ、省エネルギーである発光ダイオード球の提供を目的としている。
【０００５】
本考案の前記ならびにその他の目的と新規な特徴は次の説明を添付図面と照らし合わせて読むと、より完全に明らかになるであろう。
ただし、図面はもっぱら解説のためのものであって、本考案の技術的範囲を限定するものではない。
【０００６】
【課題を解決するための手段】
上記目的を達成するために、本考案は発光ダイオードを加工または製造して、豆電球の規格の金具を有する発光ダイオード球であり、無極性回路を用いて電球のように無極性で点灯させることのでき、電流制限抵抗を用いて電球のように点灯電圧を決めることができ、定電圧ダイオードを用いて電球では不可能である点灯する電圧を決められ、定電流ダイオードを用いて電球では不可能な幅広い範囲の電圧に対応することができる。
【０００７】
【考案の実施の形態】
以下、図面に示す実施の形態より、本考案を詳細に説明する。
【０００８】
図１は、実施の形態の外観の断面図である。すなわち、発光ダイオードの断面を段付にすることにより豆電球の規格の金具との接合を密にすることができる。このことにより、発光ダイオードは電球のように扱うことができる。
【０００９】
図２は、無極性回路との接続図であり、無極性回路は豆電球の規格の金具の内部に収めることができる。その様子の断面図が図３である。
【００１０】
図４は、電流制限抵抗を用いる場合の一例であり、その接続図である。豆電球の規格の金具の内部に収めることができる。
【００１１】
図５は、定電流ダイオードを用いる場合の一例であり、その接続図である。豆電球の規格の金具の内部に収めることができる。
【００１２】
図６は、定電圧ダイオードを用いる場合の一例であり、その接続図である。豆電球の規格の金具の内部に収めることができる。
【００１３】
図７は、無極性回路と定電流ダイオードを用いた例であり、その他の組合せも可能である。この場合も豆電球の規格の金具の内部に収めることができる。
【００１４】
【考案の効果】
以上の説明から明らかなように、本考案にあっては次のような効果が得られる。
【００１５】
（１）豆電球の規格の金具を用いることで豆電球と同様の使用ができる。
（２）無極性回路を用いることにより、豆電球と同様に直流、交流で点灯することができる。
（３）定電流ダイオードを用いることにより電球では不可能な電圧を意識しないで用いることができる。
（４）定電圧ダイオードを用いることで、電球では不可能な決められた電圧で点灯させることができる。
【図面の簡単な説明】
【図１】本考案の実施例の外観の断面図
【図２】本考案の実施例の無極性回路との接続図
【図３】本考案の実施例に無極性回路を組込んだ場合の断面図
【図４】本考案の実施例の電流制限抵抗の接続図
【図５】本考案の実施例の定電流ダイオードの接続図
【図６】本考案の実施例の定電圧ダイオードの接続図
【図７】本考案の実施例の応用の接続図
【符号の説明】
１：段付加工または段付に製造された発光ダイオード
２：豆電球の規格の金具
３：ダイオード素子４
４：ダイオード素子１
５：ダイオード素子２
６：ダイオード素子３
７：無極性回路
８：定電流ダイオード素子
９：定電圧ダイオード素子
１０：電流制限用抵抗
【図１】
0003099836.tif 000003
【図２】
0003099836.tif 000004
【図３】
0003099836.tif 000005
【図４】
0003099836.tif 000006
【図５】
0003099836.tif 000007
【図６】
0003099836.tif 000008
【図７】
0003099836.tif 000009
【手続補正書】
【提出日】平成15年9月1日(2003.9.1)
【手続補正１】
【補正対象書類名】明細書
【補正対象項目名】全文
【補正方法】変更
【補正の内容】
【実用新案登録請求の範囲】
【請求項１】電源接続端子側の断端を段付加工または、段付に製造された一般汎用発光ダイオードと、この一般汎用発光ダイオードの電源接続端子側の断端に圧入または接着された一般豆電球用ソケットへ装着可能な接続金具とからなることを特徴とする発光ダイオード球。
【請求項２】電源接続端子側の断端を段付加工または、段付に製造された一般汎用発光ダイオードと、この一般汎用発光ダイオードの電源接続端子側の断端に圧入または接着された一般豆電球用ソケットへ装着可能な接続金具と、この接続金具内に発光ダイオードの極性を無極性化する回路と、発光ダイオードに流れる電流を制限する電流制限抵抗または定電流ダイオードと、点灯開始電圧を決する定電圧ダイオードとを、選択的に一部または全部を内蔵することを特徴とする発光ダイオード球。
【考案の詳細な説明】
【０００１】
【考案の属する技術分野】
本考案は懐中電灯やペンライトに使用される豆電球に関する。
【０００２】
【従来の技術】
従来の豆電球は主にニクロム線を用いている。
【０００３】
【考案が解決しようとする課題】
従来の豆電球は主にニクロム線を用いているために、使用中に電球が切れてしまい、肝心なときに使用できなかったりすることがあった。
また、電球を取り換えるのに手数と時間がかかるばかりか、コスト高になるという欠点があった。
【０００４】
本考案は以上のような従来の欠点に鑑み、一般の小型豆電球との互換を採りつつ、省エネルギーである発光ダイオード球を提供することを目的としている。
【０００５】
本考案の前記ならびにその他の目的と新規な特徴は次の説明を添付図面と照らし合わせて読むと、より完全に明らかになるであろう。
ただし、図面はもっぱら解説のためのものであって、本考案の技術的範囲を限定するものではない。
【０００６】
【課題を解決するための手段】
上記目的を達成するために、本考案は電源接続端子側の断端を段付加工または、段付に製造された一般汎用発光ダイオードと、この一般汎用発光ダイオードの電源接続端子側の断端に圧入または接着された一般豆電球用ソケットへ装着可能な接続金具とで発光ダイオード球を構成している。
【０００７】
【考案の実施の形態】
以下、図面に示す実施の形態より、本考案を詳細に説明する。
【０００８】
図１におよび図２に示す本考案の第１の実施の形態において、３０は本考案の発光ダイオード球で、この発光ダイオード球３０は電源接続端子側の断端を段付加工または段付に製造された一般汎用発光ダイオード１と、この一般汎用発光ダイオードｌの段付部分１ａを覆うように圧入または接着された一般豆電球用ソケットへ装着可能な接続金具２とで構成されている。
また、前期一般汎用発光ダイオード１と接続金具２は、通電状態にすると一般汎用発光ダイオード１が点灯するように電気的に接続されている。
【００１０】
上記構成の発光ダイオード球３０は、懐中電灯やペンライト等のソケットに装着し、一般豆電球と同様に使用することができる。
また、一般汎用発光ダイオードの断面を段付にしているので、より一般豆電球用ソケットへの接続金具との接合を密にすることができる。
さらに、発光ダイオードを用いているので、使用中に電球が切れたりすることなく、安心して長期間使用することができる。
【考案の異なる実施の形態】
次に、図３ないし図７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図３に示す本考案の第２の実施の形態において、前記本考案の第１の実施の形態と主に異なる点は、前記接続金具２の内部にダイオード素子１、２、３、４、を用いて無極性回路７を電気的に接続した点で、このように構成した発光ダイオード球３０Ａにしても前記本考案の第１の実施の形態と同様な作用効果が得られるとともに、直流でも交流でも点灯することができる。
【００１３】
図４に示す本考案の第３の実施の形態において、前記本考案の第１の実施の形態と主に異なる点は、前記接続金具２の内部に電流制限用抵抗１０を電気的に接続した点で、このように構成した発光ダイオード球３０Ｂにしても前記本考案の第１の実施の形態と同様な作用効果が得られる。
【００１４】
図５に示す本考案の第４の実施の形態において、前記本考案の第１の実施の形態と主に異なる点は、前記接続金具２の内部に定電流ダイオード素子８を電気的に接続した点で、このように構成した発光ダイオード球３０Ｃにしても前記本考案の第１の実施の形態と同様な作用効果が得られるとともに、電球では不可能な電圧を意識しないで使用することができる。
【００１２】
図６に示す本考案の第５の実施の形態において、前記本考案の第１の実施の形態と主に異なる点は、前記接続金具２の内部に定電圧ダイオード素子９を電気的に接続した点で、このように構成した発光ダイオード球３０Ｄにしても前記本考案の第１の実施の形態と同様な作用効果が得られるとともに、決められた一定の電圧で点灯させることができる。
【００１３】
図７に示す本考案の第６の実施の形態において、前記本考案の第２の実施の形態と主に異なる点は、前記接続金具２の内部に無極性回路７と定電流ダイオード素子８を電気的に接続した点で、このように構成した発光ダイオード球３０Ｅにしても前記本考案の第２の実施の形態と同様な作用効果が得られる。
なお、本実施の形態では無極性回路と定電流ダイオード素子を接続するものについて説明したが、本考案はこれに限らず、無極性回路と定電流ダイオード素子、定電流ダイオード素子と定電圧ダイオード素子等、選択的に接続してもよい。
【００１４】
【考案の効果】
以上の説明から明らかなように、本考案にあっては次のような効果が得られる。
【００１５】
（１）電源接続端子側の断端を段付加工または、段付に製造された一般汎用発光ダイオードと、この一般汎用発光ダイオードの電源接続端子側の断端に圧入または接着された一般豆電球用ソケットへ装着可能な接続金具とで発光ダイオード球を構成しているので、豆電球と同様に使用することができる。
（２）前記（１）によって、従来の豆電球のように突然電球が切れるようなことがないので、安心して使用できる。
（３）前記（１）によって、消費電力が非常に少ないため、長期間安定して使用することができる。
したがって、経済的である。
（４）請求項２も前記（１）〜（３）と同様な効果が得られる。
（５）請求項２は無極性回路を用いることにより、豆電球と同様に直流でも交流でも点灯することができる。
（４）請求項２は定電流ダイオードを用いることにより電球では不可能な幅広い範囲の電圧に対応することができる。
（５）請求項２は定電圧ダイオードを用いることで、電球では不可能な決められた電圧で点灯させることができる。
【図面の簡単な説明】
【図１】本考案の第１実施の形態の正面図。
【図２】本考案の第１実施の形態の断面図。
【図３】本考案の第２実施の形態の断面図。
【図４】本考案の第３実施の形態の断面図。
【図５】本考案の第４実施の形態の断面図。
【図６】本考案の第５実施の形態の断面図。
【図７】本考案の第６実施の形態の断面図。
【符号の説明】
１：一般汎用発光ダイオード
２：接続金具
３：ダイオード素子４
４：ダイオード素子１
５：ダイオード素子２
６：ダイオード素子３
７：無極性回路
８：定電流ダイオード素子
９：定電圧ダイオード素子
１０：電流制限用抵抗
３０、３０Ａ〜Ｅ：発光ダイオード球


【手続補正２】
【補正対象書類名】図面
【補正対象項目名】全図
【補正方法】変更
【補正の内容】
【図１】
0003099836.tif 000010
【図２】
0003099836.tif 000011
【図３】
0003099836.tif 000012
【図４】
0003099836.tif 000013
【図５】
0003099836.tif 000014
【図６】
0003099836.tif 000015
【図７】
0003099836.tif 000016